(57)【要約】【課題】封印ネジが不測に取り外される不具合を防止することができる基板ボックス装置を備えた遊技機を提供する。【解決手段】回路基板４１を収納したベース体５０とカバー体６０との相互には封印用結合部５２、６２がそれぞれ設けられるとともに、一方の封印用結合部６２の挿通孔６５を通して他方の封印用結合部５２の雌ネジ部９２に封印ネジ８０がねじ込まれることで封印される基板ボックス装置４０を備える。封印ネジ８０の雄ネジ部８３が雌ネジ部９２に対し所定位置までねじ込まれたときには、雄ネジ部８３と、雌ネジ部９２とのうち、少なくとも一方が所定値以上の締め付け力によって潰れる構成にしてある。【選択図】　　　　図７
2004073597.tif 000002
【特許請求の範囲】
【請求項１】
内部に回路基板を収納した基板ボックスを構成するベース体とカバー体との相互には封印用結合部がそれぞれ設けられるとともに、前記一方の封印用結合部の挿通孔を通して前記他方の封印用結合部の雌ネジ部に封印ネジの雄ネジ部がねじ込まれることで前記基板ボックスが封印される基板ボックス装置を備えた遊技機であって、
前記雄ネジ部が前記雌ネジ部に対し所定位置までねじ込まれたときには、前記雄ネジ部と、前記雌ネジ部とのうち、少なくとも一方が所定値以上の締め付け力によって潰れる構成にしてあることを特徴とする遊技機。
【請求項２】
請求項１に記載の遊技機であって、
封印ネジの雄ネジ部は、硬い材料によって潰れ難く形成され、
雌ネジ部は、前記雄ネジ部よりも軟らかくかつ粘りのある材料によって潰れ易く形成されていることを特徴とする遊技機。
【請求項３】
請求項１に記載の遊技機であって、
封印ネジの雄ネジ部は、軟らかくかつ粘りのある材料によって潰れ易く形成され、
雌ネジ部は、前記雄ネジ部よりも硬い材料によって潰れ難く形成されいることを特徴とする遊技機。
【請求項４】
請求項１〜３のいずれか一項に記載の遊技機であって、
封印ネジの雄ネジ部が雌ネジ部に対し所定位置までねじ込まれて前記雄ネジ部の先端部が前記雌ネジ部を通過して所定長さだけ突出した状態において、
前記雄ネジ部と雌ネジ部との螺合部分に対応するネジ潰れ部分の長さ寸法は、ネジピッチ寸法の１〜３倍程度に設定されていることを特徴とする遊技機。
【発明の詳細な説明】
【０００１】
【発明の属する技術分野】
この発明は、例えば、制御基板等の回路基板を収納した基板ボックス装置を備えた遊技機、例えば、パチンコ機等の弾球遊技機や、スロットマシン等の遊技機に関する。
【０００２】
【従来の技術】
この種の遊技機において、その基板ボックス装置の主体部を構成する基板ボックス内には、各種の電子部品が装着された回路基板が収納されている。
また、回路基板に装着された電子部品、例えばＲＯＭが不正に交換されたり、あるいはそのＲＯＭに記憶された内容が不正に書き換えられたりする等の不正行為を防止するために、基板ボックスを構成するベース体とカバー体との相互には、封印用結合部がそれぞれ設けられる。そして、一方の封印用結合部の挿通孔を通して他方の封印用結合部の雌ネジ部に封印ネジの雄ネジ部がねじ込まれることで基板ボックスが封印される構造のものが知られている。
すなわち、封印ネジとしては、ワンウエイネジとも呼ばれている一方向ネジが用いられる。この封印ネジの頭部には、ドライバー等の締付工具による同封印ネジの締め付け方向へはトルク伝達可能で反対方向には逃がす締付溝が形成されている。そして、封印ネジの雄ネジ部が一方の封印用結合部の挿通孔を通して他方の封印用結合部の雌ネジ部にねじ込まれることで、両封印用結合部が封印ネジによって結合され、これによって、ベース体に対しカバー体が閉じ状態で封印されるようになっている。
【０００３】
【発明が解決しようとする課題】
ところで、ベース体とカバー体との相互の封印用結合部が封印ネジによって結合され、ベース体に対しカバー体が封印されている状態において、ドライバー等の締付工具の先端部を封印ネジの頭部の締付溝に差し込み、接着剤によって接着することによって、封印ネジが締め付け方向と反対方向に回されて取り外される場合があった。これによって、ベース体に対しカバー体が不測に開かれ、不正行為が行われることがあった。
【０００４】
この発明の目的は、前記従来の問題点に鑑み、封印ネジが不測に取り外される不具合を防止することができる基板ボックス装置を備えた遊技機を提供することである。
【０００５】
【課題を解決するための手段】
前記目的を達成するために、第１の発明に係る遊技機は、請求項１に記載のとおりの構成を要旨とするもので、内部に回路基板を収納した基板ボックスを構成するベース体とカバー体との相互には封印用結合部がそれぞれ設けられるとともに、前記一方の封印用結合部の挿通孔を通して前記他方の封印用結合部の雌ネジ部に封印ネジの雄ネジ部がねじ込まれることで前記基板ボックスが封印される基板ボックス装置を備える。前記雄ネジ部が前記雌ネジ部に対し所定位置までねじ込まれたときには、前記雄ネジ部と、前記雌ネジ部とのうち、少なくとも一方が所定値以上の締め付け力によって潰れる構成にしてある。
【０００６】
したがって、ベース体に対しカバー体が閉じられた状態で、これらベース体とカバー体の一方の封印用結合部の挿通孔に封印ネジが挿通される。そして、封印ネジの雄ネジ部が他方の封印用結合部の雌ネジ部にねじ込まれて所定位置までねじ込まれる。この状態において、雄ネジ部と、雌ネジ部とが相互に螺合される。引き続いて、封印ネジが所定値以上の締め付け力によって締め付けられることで、雄ネジ部と、雌ネジ部との少なくとも一方が潰される。これによって、ベース体とカバー体とが相互の封印用結合部において封印ネジを介して閉じ状態で封印される。
前記したようにベース体とカバー体とが閉じ状態で封印された状態において、雄ネジ部と、雌ネジ部との少なくとも一方が潰されることで、雄ネジ部と、雌ネジ部との螺合部分がなくなるとともに、封印ネジの雄ネジ部やあるいは雌ネジ部の端部に前記ネジ潰れによる盛り上がり部が発生する。
このため、封印ネジが締め付け方向とは反対方向（緩めて外す方向）に回転された場合においても、封印ネジが螺退されることなく定位置で回転することとなり、封印ネジが取り外されることが防止される。
【０００７】
第２の発明に係る遊技機は、請求項２に記載のとおりの構成を要旨とするもので、封印ネジの雄ネジ部は、硬い材料によって潰れ難く形成され、雌ネジ部は、前記雄ネジ部よりも軟らかくかつ粘りのある材料によって潰れ易く形成されている。
したがって、ベース体とカバー体の一方の封印用結合部の挿通孔に封印ネジが挿通され、封印ネジの雄ネジ部が他方の封印用結合部の雌ネジ部にねじ込まれて所定位置までねじ込まれた後、引き続いて、封印ネジが所定値以上の締め付け力によって締め付けられることで、硬い材料の雄ネジ部によって、軟らかくかつ粘りのある材料の雌ネジ部が潰される。これによって、封印ネジの雄ネジ部やあるいは雌ネジ部の端部に前記雌ネジ部の潰れによる盛り上がり部が発生する。このため、封印ネジが締め付け方向とは反対方向（緩めて外す方向）に回転された場合においても、封印ネジが螺退されることなく定位置で回転することとなり、封印ネジが取り外されることが防止される。
【０００８】
第３の発明に係る遊技機は、請求項３に記載のとおりの構成を要旨とするもので、封印ネジの雄ネジ部は、軟らかくかつ粘りのある材料によって潰れ易く形成され、雌ネジ部は、前記雄ネジ部よりも硬い材料によって潰れ難く形成されいる。
したがって、ベース体とカバー体の一方の封印用結合部の挿通孔に封印ネジが挿通され、封印ネジの雄ネジ部が他方の封印用結合部の雌ネジ部にねじ込まれて所定位置までねじ込まれた後、引き続いて、封印ネジが所定値以上の締め付け力によって締め付けられることで、硬い材料の雌ネジ部によって、軟らかくかつ粘りのある材料の雄ネジ部が潰される。これによって、封印ネジの雄ネジ部やあるいは雌ネジ部の端部に前記雄ネジ部の潰れによる盛り上がり部が発生する。このため、封印ネジが締め付け方向とは反対方向（緩めて外す方向）に回転された場合においても、封印ネジが螺退されることなく定位置で回転することとなり、封印ネジが取り外されることが防止される。
【０００９】
第４の発明に係る遊技機は、請求項４に記載のとおりの構成を要旨とするもので、封印ネジの雄ネジ部が雌ネジ部に対し所定位置までねじ込まれて前記雄ネジ部の先端部が前記雌ネジ部を通過して所定長さだけ突出した状態において、前記雄ネジ部と雌ネジ部との螺合部分に対応するネジ潰れ部分の長さ寸法は、ネジピッチ寸法の１〜３倍程度に設定されている。
したがって、雄ネジ部と雌ネジ部との螺合部分に対応するネジ潰れ部分の長さ寸法は、ネジピッチ寸法の１〜３倍程度に設定されることで、雄ネジ部と雌ネジ部との螺合部分を潰すのに要する封印ネジの締め付け力が過大となる不具合を防止することができる。
言い換えると、比較的小さい締め付け力によって雄ネジ部と雌ネジ部との螺合部分を潰すことができ、締め付け作業（ネジの潰し作業）が容易となる。
【００１０】
【発明の実施の形態】
（実施の形態１）
この発明の実施の形態１を図面にしたがって説明する。なお、説明の便宜上、遊技機の遊技者側を前、反対側を後という。
遊技機を後方から視た斜視図で表した図１において、遊技機１は、外枠体２、前枠体５及び遊技ユニット２０を備えている。
外枠体２は、ほぼ矩形枠状に形成され、その前側にはヒンジ手段３によって前枠体５が開閉可能に設けられている。この前枠体５は、ほぼ額縁状に形成されており、その後面側には、ほぼ矩形枠状の装着枠１０が設けられている。この装着枠１０には、その後側から遊技ユニット２０が取外し可能に嵌込まれた後、裏セット部材１２によって固定されている。
裏セット部材１２は、その一側において装着枠１０の後側にヒンジ機構（図示しない）によって開閉可能に設けられ、所定数の留め具１１によって閉じ状態に保持される。この裏セット部材１２の略中央部には、遊技ユニット２０の裏カバー体３１を後方に向けて突出させるための開口窓が形成されている。また、裏セット部材１２後側の上部には、球タンク１５とタンクレール１６とがそれぞれ設けられ、裏セット部材１２後側の片側寄りには、タンクレール１６に通じる球払出装置１７が設けられている。
【００１１】
遊技ユニット２０は、その前側に遊技盤（図示しない）を備え、その遊技盤の前側面には、図示しないが、球案内レール、遊技構成部材としての各種の入賞装置、役物装置、図柄表示装置、アタッカ装置、ゲート口、風車器、誘導釘等が配設されている。また、遊技ユニット２０の後側には、裏カバー体３１が設けられている。裏カバー体３１の後側には、主基板ボックス装置４０と副基板ボックス装置１００とがビス、クリップ、留め具等の取付手段によってそれぞれ着脱可能に装着されている。
【００１２】
図１と図２に示すように、主基板ボックス装置４０は、遊技盤の入賞装置、役物装置、図柄表示装置、アタッカ装置等を作動制御するための回路基板としての制御基板４１（主制御基板と呼ばれることもある）と、その制御基板４１を収納する基板ボックス４２と、を主体として構成されている。
また、副基板ボックス装置１００は、装飾用ランプ、表示用ランプを点滅制御するためのランプ制御基板（図示しない）、スピーカ等を作動制御するための音制御基板（図示しない）と、これら制御基板を収納する基板ボックス１０２と、を主体として構成されている。
【００１３】
さて、主基板ボックス装置４０（この発明の基板ボックス装置に相当する）の基板ボックス４２は、ベース体５０と、そのベース体５０にヒンジ手段（図示しない）によって開閉可能に設けられたカバー体６０とを備えて略薄型のボックス状に形成されている。ベース体５０とカバー体６０は、共に合成樹脂成形品によってそれぞれ形成されている。これらベース体５０とカバー体６０との間には、そのベース体５０に対しカバー体６０を閉じた状態に封印するために、左右それぞれに複数回数分、例えば、４回分に対応する個数（すなわち４個）の封印部７０がそれぞれ設けられている。
【００１４】
図３と図４に示すように、ベース体５０とカバー体６０との間に設けられた各封印部７０は、対をなす封印用結合部５２、６２、封印ネジ８０、及びナット部材９０を備えて構成されている。
すなわち、ベース体５０とカバー体６０との相互には、ニッパ、カッター等の切断具によって切断可能な開封用連結部５１、６１を介して封印用結合部５２、６２がそれぞれ一体状に延出されている。そして、ベース体５０の封印用結合部５２は、その略中央部に凹部５３を有して有底筒状に形成され、その凹部５３の開口部近傍には雌ネジ部９２を有するナット部材９０がインサート成形によって埋め込み状に設けられかつ回り止めされて固着されている。
一方、カバー体６０の封印用結合部６２は、ベース体５０の封印用結合部５２のナット部材９０に対し略同一中心線上に重ね合わされる座部６４と、その座部６４の周縁部から一体状に突出されかつ封印ネジ８０の頭部８１が挿通可能な孔径をもつ筒部６３とを有している。また、座部６４の中心部には封印ネジ８０の雄ネジ部８３が挿通される挿通孔６５が貫設されている。
そして、カバー体６０の封印用結合部６２の挿通孔６５を通してベース体５０の封印用結合部６２のナット部材９０の雌ネジ部９２に封印ネジ８０がねじ込まれることで、ベース体５０に対しカバー体６０が閉じ状態で封印されるようになっている。なお、ベース体５０とカバー体６０との間の左右にそれぞれ設けられた複数（４個）の各封印部７０の近傍、例えば、カバー体６０の封印用結合部６２の筒部６３外周面には、封印順位を示す数字等がそれぞれ表示されている。
【００１５】
図４に示すように、封印ネジ８０は、頭部８１と軸部８２とを一体に有している。さらに、封印ネジ８０の軸部８２は、その根元部側の首部８４が小径に形成され、先端部側には首部８４よりも大径でかつ頭部８１よりも小径の雄ネジ部８３が形成されている。
また、封印ネジ８０の頭部８１には、ドライバー等の締付工具による同封印ネジ８０の締め付け方向へはトルク伝達可能で反対方向には逃がす締付溝８１ａが形成されている。
また、図６に示すように、封印ネジ８０の雄ネジ部８３がナット部材９０の雌ネジ部９２に対し所定位置（頭部８１が座部６４に当接する位置）までねじ込まれたときには、雄ネジ部８３の先端部がナット部材９０の雌ネジ部９２を通過して所定長さだけ突出するとともに、首部８４の一部が雌ネジ部９２内に挿入されるように、雄ネジ部８３と雌ネジ部９２との長さ寸法が適宜に設定されている。
【００１６】
また、封印ネジ８０の雄ネジ部８３とナット部材９０の雌ネジ部９２とのうち、少なくとも一方のネジ部が所定値以上の締め付け力によって潰れる構成にしてある。
この実施の形態１において、封印ネジ８０は、硬い材料、例えば鋼製（鉄製、ステンレス製等）であり、その封印ネジ８０の雄ネジ部８３が潰れ難く形成されている。また、ナット部材９０は、封印ネジ８０の雌ネジ部９２よりも軟らかくかつ粘りのある材料、例えば真鍮製であり、その雌ネジ部９２は、潰れ易く形成されている。
また、この実施の形態１において、図６に示すように、封印ネジ８０の雄ネジ部８３がナット部材９０の雌ネジ部９２に対し所定位置（頭部８１が座部６４に当接する位置）までねじ込まれた状態において、雄ネジ部８３と雌ネジ部９２との螺合部分の長さ寸法はネジピッチ寸法の１〜３倍程度に設定されている。
【００１７】
この実施の形態１に係る遊技機は上述したように構成される。したがって、基板ボックス４２のベース体５０に対しカバー体６０を閉じ状態で封印する場合、予め、ベース体５０に制御基板４１がビス等によって固定され、その後、ベース体５０に対しカバー体６０が閉じられる。
ベース体５０に対しカバー体６０が閉じられると、ベース体５０の封印用結合部５２上にカバー体６０の封印用結合部６２が重ね合わされる。この状態において、封印順位が１番目の封印部７０を構成しているカバー体６０の封印用結合部６２の筒部６３内に封印ネジ８０が挿入され、その封印ネジ８０の雄ネジ部８３が封印用結合部６２の座部６４の挿通孔６５に挿通される（図５参照）。
そして、ドライバー等の締付工具の先端部が封印ネジ８０の頭部８１の締付溝８１ａに差し込まれた状態で封印ネジ８０が締め付け方向に回転されることで、封印ネジ８０の雄ネジ部８３がベース体５０の封印用結合部６２の雌ネジ部９２にねじ込まれる。
【００１８】
図６に示すように、封印ネジ８０の頭部８１が座部６４に当接する所定位置まで雄ネジ部８３が雌ネジ部９２にねじ込まれた状態において、封印ネジ８０の首部８４の一部が雌ネジ部９２内に挿入されて、雄ネジ部８３と、雌ネジ部９２とが相互に螺合される。
引き続いて、封印ネジ８０が所定値以上の締め付け力によって締め付けられることで、雄ネジ部８３と、雌ネジ部９２との螺合部分が潰される。これによって、ベース体５０とカバー体６０とが相互の封印用結合部５２、６２において封印ネジ８０を介して閉じ状態で封印される（図７参照）。
【００１９】
この実施の形態１において、封印ネジ８０は、硬い材料、例えば鋼製（鉄製、ステンレス製等）であり、その封印ネジ８０の雄ネジ部８３が潰れ難く形成されている。また、ナット部材９０は、封印ネジ８０の雌ネジ部９２よりも軟らかくかつ粘りのある材料、例えば真鍮製であり、その雌ネジ部９２は、潰れ易く形成されている。このため、封印ネジ８０が所定値以上の締め付け力によって締め付けられることで、硬い材料の雄ネジ部８３によって、軟らかくかつ粘りのある材料の雌ネジ部９２が潰される。これによって、図７に示すように、封印ネジ８０の首部８４と雄ネジ部８３との境界部近傍やあるいは雌ネジ部９２の端部（図７に向かって下端部）に雌ネジ部９２のネジ山部分の潰れによる盛り上がり部７５が発生する。
したがって、ドライバー等の締付工具の先端部が封印ネジ８０の頭部８１の締付溝８１ａに差し込まれ、接着剤によって接着された状態で、封印ネジ８０が締め付け方向とは反対方向（緩めて外す方向）に持ち上げながら回転された場合においても、封印ネジ８０が螺退されることなく定位置で回転されることとなる。この結果、封印ネジ８０が取り外されることが防止され、ひいては、ベース体５０に対しカバー体６０が不測に開かれ不正行為が行われる不具合が防止される。
【００２０】
また、この実施の形態１において、図６に示すように、封印ネジ８０の頭部８１が座部６４に当接する所定位置まで雄ネジ部８３がナット部材９０の雌ネジ部９２にねじ込まれた状態において、雄ネジ部８３と雌ネジ部９２との螺合部分（ネジ潰れ部分）の長さ寸法はネジピッチ寸法の１〜３倍程度に設定されている。このため、雄ネジ部８３と雌ネジ部９２との螺合部分を潰すのに要する封印ネジ８０の締め付け力が過大となる不具合を防止することができる。言い換えると、比較的小さい締め付け力によって雄ネジ部８３と雌ネジ部９２との螺合部分を潰すことができ、締め付け作業（ネジの潰し作業）を容易にかつ確実に行うことができる。
【００２１】
また、第１の基板ボックス装置４０の制御基板４１の保守・点検等に際し、基板ボックス４２の封印順位が１番目の封印部７０を開封する場合、その１番目の封印部７０の開封用連結部５１、６１がニッパ、カッター等の切断具によって切断されることで開封される。この状態でベース体５０に対しカバー体６０が開かれ、制御基板４１の保守・点検作業が行われる。
その後、ベース体５０に対しカバー体６０が閉じられ、封印順位が２番目の封印部７０が用いられ、前記と同様にして、ベース体５０とカバー体６０とが相互の封印用結合部５２、６２において封印ネジ８０を介して閉じ状態で封印される。
【００２２】
（実施の形態２）
次に、この発明の実施の形態２を図８と図９にしたがって説明すると、この実施の形態２おいては、カバー体６０の封印用結合部６２の座部６４と、封印ネジ８０の頭部８１との間にリング状の座板９５を介在させたものである。
座板９５は、軸方向に弾性変形（弾性圧縮）可能なバネ座金、ゴム等の弾性体より形成されている。
この実施の形態２のその他の部分は、前記実施の形態１と同様にして構成されるため、同一構成部分に同一符号を付記してその説明は省略する。
したがって、この実施の形態２においても、図９に示すように、封印ネジ８０が所定値以上の締め付け力によって締め付けられ、雄ネジ部８３と、雌ネジ部９２との螺合部分が潰されることで、ベース体５０とカバー体６０とが相互の封印用結合部５２、６２において封印ネジ８０を介して閉じ状態で封印される。
特に、この実施の形態２においては、封印ネジ８０が所定値以上の締め付け力によって締め付けられる際、リング状の座板９５が弾性的に圧縮される。そして、座板９５の弾性圧縮による弾発力によって封印ネジ８０の軸方向の不測のガタツキが防止され、ベース体５０に対しカバー体６０が閉じ状態に保持される。
【００２３】
なお、この発明は前記実施の形態１及び２に限定されるものではない。
例えば、前記実施の形態１及び２においては、封印ネジ８０が、硬い材料、例えば鋼製（鉄製、ステンレス製等）であり、その封印ネジ８０の雄ネジ部８３が潰れ難く形成される一方、ナット部材９０は、封印ネジ８０の雌ネジ部９２よりも軟らかくかつ粘りのある材料、例えば真鍮製であり、その雌ネジ部９２は、潰れ易く形成される場合を例示したが、封印ネジ８０の雄ネジ部８３の部分を焼き入れ等によって一層硬く潰れ難く形成することも可能である。
また、封印ネジ８０及びナット部材９０を共に真鍮製にして封印ネジ８０の雄ネジ部８３と、ナット部材９０の雌ネジ部９２とを所定値以上の締め付け力によってそれぞれ潰れる構成にしてもこの発明を実施することができる。
また、封印ネジ８０を真鍮製にしたり、あるいは鋼製の封印ネジ８０の雄ネジ部８３を焼き鈍し等によって軟らかくかつ粘りのある状態にして潰れ易く形成する一方、ナット部材９０の雌ネジ部９２を雄ネジ部８３よりも硬くして潰れ難く形成してもこの発明を実施することができる。
【００２４】
また、前記実施の形態１及び２においては、封印ネジ８０の頭部８１の締付溝８１ａが、ドライバー等の締付工具による同封印ネジ８０の締め付け方向へはトルク伝達可能で反対方向には逃がすように形成されているワンウエーネジで場合を例示したが、封印ネジ８０の頭部８１の締付溝がマイナスドライバーやプラスドライバーに対応するマイナス溝状あるいはプラス溝状に形成された通常のネジを用いることも可能である。
また、前記実施の形態１及び２においては、基板ボックス装置が、主基板ボックス装置４０である場合を例示したが、副基板ボックス装置１００である場合においても採用することができ、その他の基板ボックス装置、例えば、枠制御用基板ボックス装置等である場合においても採用することができる。
また、前記実施の形態では、封印ネジ８０の頭部８１が座部６４に当接する所定位置まで雄ネジ部８３がナット部材９０の雌ネジ部９２にねじ込まれた状態において、雄ネジ部８３と雌ネジ部９２との螺合部分（ネジ潰れ部分）の長さ寸法がネジピッチ寸法の１〜３倍程度に設定されている場合を例示したが、封印ネジ８０の雄ネジ部８３とナット部材９０の雌ネジ部９２との螺合部分（ネジ潰れ部分）の長さ寸法は適宜に設定すればよい。
また、封印ネジ８０の軸部８２の全長、すなわち、首部８４から軸部８２先端部にわたって雄ネジ部８３を形成し、その雄ネジ部８３をナット部材９０の雌ネジ部９２の略全長にわたって螺合させてもこの発明を実施することが可能である。
【００２５】
【発明の効果】
以上述べたように、この発明によれば、封印ネジが不測に取り外される不具合を防止することができ、ベース体に対しカバー体が不測に開かれ、不正行為が行われる不具合を防止することができる。
【図面の簡単な説明】
【図１】この発明の実施の形態１に係る遊技機を後方から視た斜視図である。
【図２】同じく基板ボックスを示す正面図である。
【図３】同じく基板ボックスの封印部を拡大して示す正面図である。
【図４】同じく基板ボックスのベース体に対しカバー体を閉じる前の状態を示す断面図である。
【図５】同じく基板ボックスのベース体に対しカバー体を閉じ状態でかつ封印部を封印する前の状態を示す断面図である。
【図６】同じく基板ボックスの封印用結合部に封印ネジを所定位置までねじ込んだ状態を状態を示す断面図である。
【図７】同じく封印ネジの雄ネジ部と雌ネジ部との螺合部分が潰された封印状態を拡大して示す断面図である。
【図８】この発明の実施の形態２の封印前の状態を示す断面図である。
【図９】同じく封印ネジの雄ネジ部と雌ネジ部との螺合部分が潰されて封印された状態を示す断面図である。
【符号の説明】
１　遊技機
４０　主基板ボックス装置（基板ボックス装置）
４１　制御基板（回路基板）
４２　基板ボックス
５０　ベース体
５１　開封用連結部
５２　封印用結合部
６０　カバー体
６１　開封用連結部
６２　封印用結合部
６４　座部
６５　挿通孔
７０　封印部
８０　封印ネジ
８１　頭部
８２　軸部
８３　雄ネジ部
８４　首部
９０　ナット部材
９２　雌ネジ部
【図１】
2004073597.tif 000003
【図２】
2004073597.tif 000004
【図３】
2004073597.tif 000005
【図４】
2004073597.tif 000006
【図５】
2004073597.tif 000007
【図６】
2004073597.tif 000008
【図７】
2004073597.tif 000009
【図８】
2004073597.tif 000010
【図９】
2004073597.tif 000011